(57)【要約】【課題】クーポンを広告媒体を用いて効率的に配布すると共に、クーポンの利用状況で広告効果を測定することができる。【解決手段】クーポンそれぞれに付与されたクーポンＩＤデータがウォータマークによって埋め込まれた広告映像データを配信再生し、携帯電話装置４０の撮像部４１で表示装置３０で提供された映像データの一部を撮像し、この撮像した広告映像データよりクーポンＩＤデータを抽出し、この抽出したクーポンＩＤデータを、端末ＩＤデータを記憶しているセキュアメモリ４８に格納し、携帯電話装置４０より送信されたクーポンＩＤデータ及び端末ＩＤデータを受信し、このクーポンＩＤデータに関連付けられたクーポンを特定して償還した際のログをクーポン管理装置６０に送信し、クーポン管理装置６０で、クーポンＩＤデータに関連付けて端末ＩＤデータと償還ログとを管理する。【選択図】図１
2008225903.tif 000002
【特許請求の範囲】
【請求項１】
クーポンそれぞれに付与されたクーポンＩＤデータがウォータマークによって埋め込まれた広告データを提供する広告媒体と、
上記広告媒体で提供された広告データを取得する取得手段と、上記取得手段で取得した広告データよりクーポンＩＤデータを抽出する抽出手段と、端末ＩＤデータを記憶すると共に上記抽出手段で抽出したクーポンＩＤデータを記憶するセキュア記憶手段と、上記セキュア記憶手段のクーポンＩＤデータ及び端末ＩＤデータを送信する端末側通信手段と、上記セキュア記憶手段のクーポンＩＤデータ及び端末ＩＤデータを送信する端末側非接触通信手段とを有する端末装置と、
上記端末装置の端末側非接触通信手段より送信されたクーポンＩＤデータ及び端末ＩＤデータを受信する償還側非接触通信手段と、上記クーポンＩＤデータに関連付けられたクーポンを償還した際のログを送信する償還側通信手段とを有し、上記クーポンＩＤデータに関連付けられたクーポンを償還する償還装置と、
上記クーポンＩＤデータに関連付けて上記クーポンを管理するクーポンデータベースと、上記償還装置より送信された償還ログを受信し、上記クーポンデータベースで管理できるようにする管理側通信手段とを有するクーポン管理装置とを備えるデータ処理システム。
【請求項２】
上記クーポン管理装置は、上記端末側通信手段より送信されたクーポンＩＤデータ及び端末ＩＤデータを受信する受信手段と、上記受信手段で受信したクーポンＩＤデータ及び端末ＩＤデータを用いて、このクーポンＩＤデータに関連付けられたクーポンデータを暗号化する暗号化手段と、上記暗号化手段で暗号化された暗号化クーポンデータを上記端末装置に送信する送信手段とを有し、
上記端末装置は、上記通信手段で受信した暗号化クーポンデータを、非セキュア記憶手段に記憶する請求項１記載のデータ処理システム。
【請求項３】
上記償還装置は、上記暗号化クーポンデータを、上記端末装置の端末側非接触通信手段より送信されたクーポンＩＤデータ及び端末ＩＤデータで復号する暗号復号手段を有し、
上記償還側非接触通信手段で、上記端末装置の端末側非接触通信手段より送信されたクーポンＩＤデータ及び端末ＩＤデータを受信すると共に上記暗号化クーポンデータを受信し、上記クーポンＩＤデータ及び端末ＩＤデータを用いて上記暗号化クーポンデータを復号してから上記クーポンを償還する請求項２記載のデータ処理システム。
【請求項４】
上記端末装置は、更に、上記暗号化クーポンデータを、上記セキュア記憶手段のクーポンＩＤデータ及び端末ＩＤデータで復号する暗号復号手段と、暗号が復号されたクーポンデータを表示する表示手段とを有し、暗号が復号されたクーポンデータを上記表示手段に表示することで、上記クーポンを上記償還装置で償還できるようにする請求項２記載のデータ処理システム。
【請求項５】
上記端末装置は、上記セキュア記憶手段のクーポンＩＤデータ及び端末ＩＤデータを、上記端末装置の端末側非接触通信手段から上記償還装置の償還側非接触通信手段に送信し、
上記償還装置は、上記償還側通信手段より上記クーポンＩＤデータ及び端末ＩＤデータを上記クーポン管理装置に送信し、
上記クーポン管理装置は、照合手段で、上記クーポンＩＤデータの照合を行い、照合がとれたとき、このクーポンＩＤデータに関連付けられたクーポンデータを上記管理側通信手段より上記償還装置に送信すると共に、この償還装置を介して上記端末装置に、クーポンＩＤデータに関連付けられたクーポンデータが償還されたことを示す償還データを送信する請求項１記載のデータ処理システム。
【請求項６】
上記端末装置は、上記セキュア記憶手段のクーポンＩＤデータ及び端末ＩＤデータを、上記端末装置の端末側非接触通信手段から上記償還装置の償還側非接触通信手段に送信し、
上記償還装置は、上記償還側通信手段より上記クーポンＩＤデータ及び端末ＩＤデータを上記クーポン管理装置に送信し、
上記クーポン管理装置は、照合手段で上記クーポンＩＤデータの照合を行い、照合がとれたとき、このクーポンＩＤデータに関連付けられたクーポンデータを上記クーポンＩＤデータ及び端末ＩＤデータを用いて暗号化手段で暗号化し、この暗号化クーポンデータを上記管理側通信手段より上記償還装置に送信し、
上記償還装置は、上記クーポンＩＤデータ及び端末ＩＤデータを用いて上記暗号化クーポンデータを復号し、
上記クーポン管理装置は、上記償還装置を介して上記端末装置に、クーポンＩＤデータに関連付けられたクーポンデータが償還されたことを示す償還データを送信する請求項１記載のデータ処理システム。
【請求項７】
該システムは、更に、電子商取引装置を備え、
上記端末装置は、商品の注文を上記電子商取引装置に対して行ったとき、上記セキュア記憶手段のクーポンＩＤデータ及び端末ＩＤデータを上記端末側通信手段より上記電子商取引装置に対して送信し、
上記電子商取引装置は、上記クーポンＩＤデータ及び端末ＩＤデータを上記クーポン管理装置に送信し、
上記クーポン管理装置は、照合手段で上記クーポンＩＤデータの照合を行い、照合がとれたとき、このクーポンＩＤデータに関連付けられたクーポンデータを上記管理側通信手段より上記電子商取引装置に送信する請求項１記載のデータ処理システム。
【請求項８】
広告媒体によってクーポンそれぞれに付与されたクーポンＩＤデータがウォータマークによって埋め込まれた広告データを提供するステップと、
端末装置で上記広告媒体で提供された広告データを取得し、この取得した広告データよりクーポンＩＤデータを抽出し、この抽出したクーポンＩＤデータを、端末ＩＤデータを記憶しているセキュア記憶手段に格納するステップと、
上記端末装置より送信されたクーポンＩＤデータ及び端末ＩＤデータを受信し、このクーポンＩＤデータに関連付けられたクーポンを特定して償還した際のログをクーポン管理装置に送信するステップと、
上記クーポン管理装置で、上記クーポンＩＤデータに関連付けて端末ＩＤデータと償還ログとを管理するステップとを有するデータ処理方法。
【発明の詳細な説明】
【技術分野】
【０００１】
本発明は、クーポンを広告媒体を用いて効率的に配布すると共に、クーポンの利用状況で広告効果を測定するデータ処理システム及びデータ処理方法に関する。
【背景技術】
【０００２】
インターネットのクリック保証型広告等のシステムでは、広告効果測定が可能であるのに対して、テレビジョン放送やディジタルサイネージ等のブロードキャスト型の配信システムでは、広告効果測定のシステムが普及していない。現在は、広告効果測定を行うために、広告媒体、例えばポスターや広告映像中に２次元バーコードを表示する、電話番号・ＵＲＬ（Uniform Resource Locator）と言った付加情報を表示するといった手法や、広告コンテンツ配信と同時に電子クーポン等の配布を行う手法がとられている。しかしながら、広告コンテンツに付加情報を組み込むと、映像広告が再生される時間が短くなったり、広告コンテンツ自体の質の低下を招くことになる。また、コンテンツ配信と同時に電子クーポン等の付加情報をディジタルデータとして独立して配布を行う場合、電子クーポンを受信機で取得するためには専用受信端末が必要となり、利用者が限定されてしまう。
【０００３】
また、何れの場合であっても、クーポンを配布するに当たっては、クーポンの不正コピーや改ざんといった不正利用を防止することが必要である。
【０００４】
なお、本件出願人は、本件に関連する先行技術として下記特許文献１を提案している。
【０００５】
【特許文献１】特開２００６−３３１３９８号公報
【発明の開示】
【発明が解決しようとする課題】
【０００６】
本発明は、以上のような問題点に鑑みてなされたものであり、その目的は、クーポンを広告媒体を用いて効率的に配布すると共に、クーポンの利用状況で広告効果を測定することができるデータ処理システム及びデータ処理方法を提供することにある。
【０００７】
また、本発明の目的は、クーポンを配布するに当たって、クーポンの不正利用を防止することができるデータ処理システム及びデータ処理方法を提供することにある。
【課題を解決するための手段】
【０００８】
本発明に係るデータ処理システムは、クーポンそれぞれに付与されたクーポンＩＤデータがウォータマークによって埋め込まれた広告データを提供する広告媒体と、上記広告媒体で提供された広告データを取得する取得手段と、上記取得手段で取得した広告データよりクーポンＩＤデータを抽出する抽出手段と、端末ＩＤデータを記憶すると共に上記抽出手段で抽出したクーポンＩＤデータを記憶するセキュア記憶手段と、上記セキュア記憶手段のクーポンＩＤデータ及び端末ＩＤデータを送信する端末側通信手段と、上記セキュア記憶手段のクーポンＩＤデータ及び端末ＩＤデータを送信する端末側非接触通信手段とを有する端末装置と、上記端末装置の端末側非接触通信手段より送信されたクーポンＩＤデータ及び端末ＩＤデータを受信する償還側非接触通信手段と、上記クーポンＩＤデータに関連付けられたクーポンを償還した際のログを送信する償還側通信手段とを有し、上記クーポンＩＤデータに関連付けられたクーポンを償還する償還装置と、上記クーポンＩＤデータに関連付けて上記クーポンを管理する管理手段と、上記償還装置より送信された償還ログを受信し、上記管理手段で管理できるようにする管理側通信手段とを有するクーポン管理装置とを備える。
【０００９】
また、本発明に係るデータ処理方法は、広告媒体によってクーポンそれぞれに付与されたクーポンＩＤデータがウォータマークによって埋め込まれた広告データを提供するステップと、端末装置で上記広告媒体で提供された広告データを取得し、この取得した広告データよりクーポンＩＤデータを抽出し、この抽出したクーポンＩＤデータを、端末ＩＤデータを記憶しているセキュア記憶手段に格納するステップと、上記端末装置より送信されたクーポンＩＤデータ及び端末ＩＤデータを受信し、このクーポンＩＤデータに関連付けられたクーポンを特定して償還した際のログをクーポン管理装置に送信するステップと、上記クーポン管理装置で、上記クーポンＩＤデータに関連付けて端末ＩＤデータと償還ログとを管理するステップとを有する。
【発明の効果】
【００１０】
本発明によれば、クーポンＩＤデータが埋め込まれた広告データを提供することから、広告媒体を、従来からの表示装置等の媒体を用いることができる。また、抽出したクーポンＩＤデータは、端末ＩＤデータが格納されたセキュア記憶手段に格納されることから、クーポンＩＤデータの不正なコピー、配布の防止を実現することができる。更に、クーポンＩＤデータに関連付けて償還ログを管理することから、広告視聴者の属性を特定し、信頼性の高い宣伝広告の効果測定方法を実現することができる。
【発明を実施するための最良の形態】
【００１１】
図１に示すように、本発明が適用されたデータ処理システム１は、広告映像配信のシステムを用いて広告主のクーポンを配布するシステムであって、本システム１で発行するクーポンを識別するクーポンＩＤデータを管理するクーポンＩＤ管理装置１０と、発行されたクーポンＩＤデータをウォータマークで埋め込んで広告映像データを配信する広告映像データ生成装置２０と、ウォータマークが埋め込まれた広告映像データを再生し表示する表示装置３０と、表示装置３０での広告映像を視聴しているユーザが所有する広告映像データよりウォータマークを抽出する携帯電話装置４０と、発行したクーポンデータを管理するクーポン管理装置６０と、ユーザが取得したクーポンを償還する償還装置７０と、ユーザがインターネット等で商品を購入する電子商取引を支援する電子商取引装置８０とを備えている。
【００１２】
クーポンＩＤデータを発行するクーポンＩＤ管理装置１０は、通常のサーバ装置と言ったコンピュータで構成されており、例えば広告代理店によって管理される。このクーポンＩＤ管理装置１０は、図２に示すように、発行するクーポンＩＤデータとクーポンデータとを関連付けるデータベースが構築された大容量ハードディスク等でなる記憶部１１と、クーポンＩＤデータを発行するクーポンＩＤ発行部１２と、クーポンＩＤ管理装置１０や広告映像データ生成装置２０からクーポンＩＤデータがウォータマークで埋め込まれた広告映像データの配信情報が入力される配信情報入力部１３と、クーポン管理装置６０や償還装置７０からクーポンデータが償還された際の償還ログが入力される償還ログ入力部１４とを備える。
【００１３】
記憶部１１に構築されたクーポンＩＤデータベースは、発行するクーポンＩＤデータに、商品の割引等の内容によって定義付られたクーポンデータ、広告映像データが配信された配信日時、配信時間等を含む配信情報、ユーザのクーポン取得日時、取得場所、使用日時、使用場所、ユーザの属性情報等を含む償還ログを関連付けて保存するようにしている。
【００１４】
ここで、配信情報は、クーポンＩＤデータの発行の後、配信情報入力部１３より入力される情報である。この配信情報入力部１３は、広告映像データ生成装置２０で定義されている配信計画データが配信情報としてネットワークを介して入力され、このような入力された配信情報をクーポンＩＤデータベースにクーポンＩＤデータに関連付けて格納する。
【００１５】
また、償還ログは、ユーザのクーポン取得日時、取得場所、使用日時、使用場所、ユーザの属性情報等を含む情報であって、クーポンがユーザによって使用された、すなわちクーポンが償還されたとき、償還ログ入力部１４より入力される情報である。この償還ログ入力部１４には、定期的又は随時、クーポン管理装置６０や償還装置７０よりネットワークを送信された償還ログが入力されることになり、この入力された償還ログがクーポンＩＤデータに関連付けられて格納されることになる。例えば、ユーザのクーポン取得日時、取得場所及び属性情報は、クーポン管理装置６０より入力され、ユーザのクーポン使用日時、使用場所は、償還装置７０より入力される。
【００１６】
以上のように、データベースにクーポンＩＤデータに関連付けて保存されるクーポンデータ、配信情報、償還ログによれば、発行したクーポンが何時何処で取得され使用されたかを知ることができ、広告効果を見る広告測定情報として広告主に提供する情報となる。
【００１７】
クーポンＩＤ発行部１２は、広告映像データを用いて配布するクーポンを発行する際に、それぞれのクーポンデータに対してクーポンＩＤデータを付与し、上述したデータベースで、このクーポンＩＤデータに関連付けて配信情報や償還ログを管理できるようにする。クーポンの発行時、クーポンデータに関連付けてクーポンＩＤデータが発行されると、クーポンＩＤデータとクーポンデータとを関連付けてクーポン管理装置６０のクーポンデータベースにネットワークや記録媒体を介して供給し、クーポン管理装置６０でクーポンＩＤデータの照合を行うことができるようにする。
【００１８】
ここで、本発明では、クーポンＩＤデータのみを拡布させることで、不正利用を防止し、また、取り扱われるデータのデータサイズを小さくし、携帯電話装置４０や償還装置７０等でのデータ処理量を少なくするようにしている。このクーポンＩＤ発行部１２で発行されたクーポンＩＤデータは、次に、ネットワークや記録媒体によって広告映像データ生成装置２０に供給される。
【００１９】
図３に示すように、広告映像データ生成装置２０は、広告代理店やＴＶ局等が管理する装置であり、広告主や広告代理店から提供された広告映像データが入力される広告映像データ入力装置２１と、クーポンＩＤ管理装置１０から供給されたクーポンＩＤデータが入力されるクーポンＩＤ入力装置２２と、広告映像データに対してクーポンＩＤデータをウォータマークによって埋め込む画像処理装置２３と、クーポンＩＤデータが埋め込まれた広告映像データを配信する配信装置２４とを備える。
【００２０】
広告映像データ入力装置２１は、例えばＶＴＲ、ＤＶＤ（Digital Versatile Disc）プレーヤ等の記録媒体再生装置であり、広告主や広告代理店から納入された磁気テープ、ＤＶＤ等の記録媒体から、広告の映像データを再生して、画像処理装置２３に供給する。
【００２１】
クーポンＩＤ入力装置２２は、ＵＳＢ（Universal Serial Bus）メモリリーダ、メモリカードリーダ等からなり、クーポンＩＤ管理装置１０から供給されたＵＳＢメモリ、メモリカード等から読み出した又はネットワークを介して供給されたクーポンＩＤデータを画像処理装置２３に供給する。
【００２２】
画像処理装置２３は、例えばディジタルテレビジョン放送、インターネット配信に適した圧縮符号化を行う符号化装置であり、圧縮符号化の一連の処理の中でクーポンＩＤデータをウォータマークによって広告映像データ中に埋め込む。例えば、広告映像データ入力装置２１からの広告映像データを所謂ＭＰＥＧ（Moving Picture Coding Experts Group／Moving Picture Experts Group）−２やＭＰＥＧ−４の規格に準拠して符号化する場合、画像処理装置２３は、符号化の際に得られる所謂ＤＣＴ（Discrete Cosine Transform）係数の高域成分に、クーポンＩＤ入力装置２２からのクーポンＩＤデータに誤り訂正符号を付加し、誤り訂正符号が付加されたクーポンＩＤデータをウォータマークとして埋め込む。
【００２３】
また、広告の映像コンテンツを圧縮しないでディジタル信号として配信する場合には、広告の映像コンテンツを構成する映像信号の各サンプル値、すなわち各画素のデータの最下位ビット又は下位の数ビットに、クーポンＩＤデータを空間領域で分散して埋め込む。
【００２４】
また、クーポンＩＤデータを埋め込むフレーム上での位置は、クーポンＩＤデータを容易に再生できるように、所定の位置の所謂一若しくは複数のマクロブロック、又はクーポンＩＤデータのバイト数が大きいときは、その近傍の複数のマクロブロックとする。そして、例えば、ウォータマークで埋め込まれたクーポンＩＤデータを抽出するため、クーポンＩＤデータの埋め込まれた領域に位置合わせのための枠を設けるようにする。更に、画面を携帯電話装置４０で撮像することを考慮して、クーポンＩＤデータをフレームの複数箇所に埋め込む。また、クーポンＩＤデータを埋め込むフレーム数、すなわち１本の広告における長さ（時間）は、１本の広告全体であっても良いが、例えば、１本の広告に対して複数の商品を紹介することもあるので、その商品が表示されているフレームとする。
【００２５】
なお、このようにして周波数領域又は空間領域で埋め込まれたクーポンＩＤデータは、エンドユーザに対しては不可視なものとなっている。
【００２６】
ところで、広告映像データがアナログである場合、画像処理装置２３は、クーポンＩＤデータを画像信号に変換し、すなわちクーポンＩＤデータを構成する数字及び記号のグラフィック画像を生成して、これらのグラフィック画像を、例えばフレームの下側や角等の見たときに邪魔にならない位置において、広告の映像信号にオーバレイ又はスーパインポーズする。このオーバレイ又はスーパインポーズされたクーポンＩＤデータは、ユーザに対して可視なものとなる。なお、この場合の広告映像データは、ディジタルであっても良い。
【００２７】
画像処理装置２３において、上述のようにしてクーポンＩＤデータが埋め込まれた配信用広告映像データは、配信装置２４に供給される。配信装置２４は、例えばディジタルテレビジョン放送、アナログテレビジョン放送若しくは衛星放送における送信装置、又は、例えばインターネットにおけるモデム、インサーネットのランカード若しくは無線ランカード等を備えるインターネットに接続されたコンピュータやサーバである。また、配信装置２４は、ＶＴＲ、ＣＤレコーダ、ＤＶＤレコーダ等の記録媒体に映像信号を記録する装置である。そして、配信装置２４は、伝送媒体、すなわち放送、インターネット配信、記録媒体の配布に適した方法で、クーポンＩＤデータが埋め込まれた配信用の広告映像データを表示装置３０に供給する。
【００２８】
図１に示した表示装置３０は、公共スペースや屋外、駅や店舗に設置される大小のディスプレイであって、例えば内蔵ハードディスクに配信装置２４から配信されたクーポンＩＤデータが埋め込まれた広告映像データを受信・蓄積し、指定されたスケジュールに応じて再生表示する。
【００２９】
このデータ処理システム１においてユーザは、この表示装置３０の近所を通行しながら再生される広告映像データを視聴する者であり、このようなユーザが所有又は管理する携帯電話装置４０によって、表示装置３０で表示されている広告映像データからクーポンＩＤデータを取得することができるようになっている。
【００３０】
具体的に、この携帯電話装置４０は、図４に示すように、通常の携帯電話の機能に対してウォータマークを抽出するための機能が格納された機能を有するものであって、被写体を撮像する撮像部４１と、撮像部４１が撮像した画像データよりウォータマークを抽出するウォータマーク抽出部４２とを備えている。
【００３１】
撮像部４１は、複数のレンズやＣＣＤ（Charge-Coupled Devices）素子、ＣＭＯＳ（Complementary Metal-Oxide Semiconductor））等の撮像素子を備えており、所定の画像処理、Ａ／Ｄ変換処理を行って非セキュアメモリ４５に撮像した画像データを保存する。
【００３２】
また、表示装置３０で広告映像データを撮像するアプリケーションが起動されているときに、表示装置３０に表示されている広告映像データを撮像するときには、広告映像データ中のクーポンＩＤデータが埋め込まれている所定領域を撮像部４１で撮像し、非セキュアメモリ４５に、ＪＰＥＧ（Joint Photographic Expert Group）等の圧縮符号化処理を行って保存する。このように、広告映像データを取得手段となる撮像部４１で取得するに当たって、広告映像データの撮像の際には、図５に示すように、表示装置３０に表示されている広告映像データの位置合わせのための枠３６内、すなわちウォータマークでクーポンＩＤデータが埋め込まれた領域を撮像部４１で撮像する。
【００３３】
ウォータマーク抽出部４２は、表示装置３０で広告映像データを撮像するアプリケーションが起動されているときに、表示装置３０に表示されている広告映像データを撮像すると、撮像された画像データよりウォータマークとして埋め込まれているクーポンＩＤデータを抽出する。
【００３４】
具体的に、ウォータマーク抽出部４２は、撮像した画像データの位置合わせを、撮像した枠３６を目印に、大きさ、傾き、斜めから撮像されたときの歪みを補正して、画像処理装置２３で行われた広告映像データにクーポンＩＤデータを埋め込む符号化時のマクロブロックと撮像部４１で撮像を行った画像データのマクロブロックとの位置合わせを行ってから、符号化の際に得られる所謂ＤＣＴ係数の高域成分よりクーポンＩＤデータのデータを抽出し、更に、誤り訂正処理を行って、クーポンＩＤデータを抽出する。
【００３５】
また、広告の映像コンテンツを圧縮しないでディジタル信号として配信している場合には、上述した枠３６を用いて位置合わせの補正処理を行った後、画像信号の各サンプル値、すなわち各画素のデータの最下位ビット又は下位の数ビットを抽出し、誤り訂正処理を行って、クーポンＩＤデータを抽出する。
【００３６】
更に、広告映像データがアナログである場合には、文字認識処理によって、オーバレイ又はスーパインポーズされているクーポンＩＤデータを構成する数字及び記号のグラフィック画像を抽出し、抽出したグラフィック画像よりクーポンＩＤデータを抽出する。
【００３７】
また、携帯電話装置４０は、装置全体を管理するシステムＯＳ部４３と、配布するクーポンデータの暗号を復号する暗号復号エンジン４４と、システムメモリともなる非セキュアメモリ４５とを備えている。
【００３８】
システムＯＳ部４３は、装置全体を管理し、例えば、操作部５１で電話番号に対して発呼信号を端末側通信Ｉ／Ｆ４９より送信したり、また、クーポンデータを取得するため、ウォータマーク抽出部４２で抽出したクーポンＩＤデータを、後述するセキュアメモリ４８に格納されている端末ＩＤデータを端末側通信Ｉ／Ｆ４９よりクーポン管理装置６０に送信する。また、非セキュアメモリ４５は、基本的に書換が不能なメモリであって、撮像部４１で撮像した画像データを保存する他、クーポン管理装置６０から送信されたクーポンＩＤデータに対応したクーポンデータを暗号化された状態で保存する。暗号復号エンジン４４は、端末側通信Ｉ／Ｆ４９でクーポン管理装置６０から送信された暗号化クーポンデータを、ウォータマーク抽出部４２で抽出したクーポンＩＤデータ及びセキュアメモリ４８に格納されている端末ＩＤデータを用いて復号する。
【００３９】
更に、携帯電話装置４０は、ＲＦＩＤ（Radio Frequency Identification System）、ＮＦＣ（Near Field Communication）等の短距離又は近距離の非接触通信を行うための手段として、非接触通信を管理する非接触通信ＯＳ部４６と、償還装置７０の非接触通信Ｉ／Ｆと通信を行うための端末側非接触通信Ｉ／Ｆ４７と、携帯電話装置４０の固有の識別データである端末ＩＤデータを格納するセキュアメモリ４８とを備えている。すなわち、この携帯電話装置４０は、電子マネーシステム等に用いられているＩＣカードの機能を、非接触通信ＯＳ部４６、端末側非接触通信Ｉ／Ｆ４７、セキュアメモリ４８で実現している。
【００４０】
このセキュアメモリ４８には、携帯電話装置４０固有の端末ＩＤデータが格納される他に、ユーザに対して特典を与えるためのポイントや電子マネーデータが格納される。また、このセキュアメモリ４８には、ウォータマーク抽出部４２で抽出されたクーポンＩＤデータを格納する。このセキュアメモリ４８には、以上のような価値の高いデータが格納され、このような価値の高いデータの改ざんや不正コピーを防止するようにしている。
【００４１】
なお、ここでは、セキュアメモリ４８は、容量が小さいために、端末ＩＤデータ、クーポンＩＤデータと言ったデータサイズの小さいデータを格納するようにしているが、大容量化された場合には、更に、クーポンデータそのものを格納するようにしても良い。このセキュアメモリ４８に格納されたデータは、端末側非接触通信Ｉ／Ｆ４７を介して出力され、また、システムＯＳ部４６に読み出されて、端末側通信Ｉ／Ｆ４９より送信される。
【００４２】
更に、携帯電話装置４０は、電波を受信するアンテナ等で構成された端末側通信Ｉ／Ｆ４９と、動作状況等を表示するＬＥＤパネルや有機ＥＬパネル等で構成された表示部５０と、操作信号を入力する押しボタン、スライドスイッチ等で構成された操作部５１とを備えている。携帯電話装置４０では、操作部５１を操作することによって、相手方と通話を行うことができる他に、上述したように撮像部４１を起動し、広告映像データを撮像したり、撮像した広告映像データよりクーポンＩＤデータを抽出したりすることができる。また、非セキュアメモリ４５に格納されている暗号化クーポンデータを、セキュアメモリ４８に格納されている端末ＩＤデータ及びクーポンＩＤデータを用いて復号し、平文化されたクーポンデータを表示部５０に表示できる。また、操作部５１では、クーポンＩＤデータをクーポン管理装置６０に送信し、暗号化クーポンデータを取得する際に、クーポンＩＤデータと共にクーポン管理装置６０に送信する属性情報となる電話番号、氏名、年齢、性別、アンケート情報を入力することができる。
【００４３】
なお、この携帯電話装置４０は、本発明において、ＰＤＡ（Personal Digital Assistant）等の小型の情報処理端末装置であっても良い。
【００４４】
以上のような携帯電話装置４０がクーポンデータを取得するためにアクセスするクーポン管理装置６０は、図６に示すように、クーポンＩＤデータとクーポンデータとを関連付けて管理するクーポンデータベースが構築された大容量ハードディスク等で構成された記憶部６１と、携帯電話装置４０の端末側通信Ｉ／Ｆ４９と通信を行う管理側通信Ｉ／Ｆ６２と、クーポンデータをクーポンＩＤデータと端末ＩＤデータで暗号化する暗号化エンジン６３と、携帯電話装置４０から送信されたクーポンＩＤデータとクーポンＩＤ管理装置１０から供給されたクーポンＩＤデータとを照合する照合部６４とを備えている。
【００４５】
記憶部６１に構築されたクーポンデータベースは、クーポンＩＤ管理装置１０から供給されたクーポンＩＤデータに関連付けて、商品の割引等の内容によって定義付られたクーポンデータ、携帯電話装置４０の端末ＩＤデータ、携帯電話装置４０の電話番号、氏名、年齢、アンケート結果、メールアドレス等の属性情報、クーポンデータの取得日時、クーポンデータの取得場所等が格納されるようになっている。このようなクーポンデータベースは、クーポンＩＤ管理装置１０からクーポンＩＤデータとクーポンデータとが供給されて予め格納されており、携帯電話装置４０よりクーポンＩＤデータと端末ＩＤデータが送信されたとき、クーポンＩＤデータに関連付けて端末ＩＤデータや属性情報を格納し、また、クーポンＩＤデータと端末ＩＤデータとで暗号化した暗号化クーポンデータを携帯電話装置４０に送信したときの日時を、クーポン取得日時として格納する。
【００４６】
また、クーポンデータベースは、更に、クーポンが償還される際に、償還装置７０から送信されたクーポンＩＤデータ及び端末ＩＤデータを受信すると、受信日時や償還装置７０の設置場所のＩＤデータに基づいて、これらの情報を、クーポンの使用日時及び使用場所として登録される。
【００４７】
暗号化エンジン６３は、携帯電話装置４０からクーポンデータの取得のためクーポンＩＤデータと端末ＩＤデータとが送信されたとき、クーポンＩＤデータ及び端末ＩＤデータを暗号鍵にして、クーポンＩＤデータに関連付いたクーポンデータを暗号化し、暗号化クーポンデータを管理側通信Ｉ／Ｆ６２より携帯電話装置４０に送信する。
【００４８】
照合部６４は、ユーザがクーポンデータを店舗で使用し償還する場合において、償還装置７０から送信されたクーポンＩＤデータ及び端末ＩＤデータを受信したとき、受信したクーポンＩＤデータ及び端末ＩＤデータがユーザがクーポンデータの取得時、すなわちクーポンデータ取得のためクーポンＩＤデータ及び端末ＩＤデータをクーポン管理装置６０に送信したときのクーポンＩＤデータ及び端末ＩＤデータと照合する。そして、照合部６４は、携帯電話装置４０から送信されたクーポンＩＤデータ及び端末ＩＤデータと償還装置７０から送信されたクーポンＩＤデータ及び端末ＩＤデータとが一致したとき、償還装置７０に対して割引と言ったクーポンを適用し使用済みにする償還データを管理側通信Ｉ／Ｆ６２より償還装置７０に送信する。
【００４９】
償還装置７０は、図７に示すように、商品を販売する店舗に設置されるＰＯＳ（Point Of Sale terminal）端末の機能を有する装置であって、ＲＦＩＤ、ＮＦＣ等の短距離又は近距離の非接触通信を行うための手段として、非接触通信の通信を管理する非接触通信ＯＳ部７１と、携帯電話装置４０の端末側非接触通信Ｉ／Ｆ４７と通信を行うための償還側非接触通信Ｉ／Ｆ７２とを備える。
【００５０】
償還側非接触通信Ｉ／Ｆ７２は、ユーザがクーポンの適用のある商品を購入する際に、携帯電話装置４０の端末側非接触通信Ｉ／Ｆ４７がかざされることによって、携帯電話装置４０の端末側非接触通信Ｉ／Ｆ４７との間で通信を行い、例えば、携帯電話装置４０から送信されたクーポンＩＤデータ、端末ＩＤデータ、暗号化クーポンデータ等を受信する。
【００５１】
また、償還装置７０は、償還装置７０の装置全体を管理するシステムＯＳ部７３と、配布するクーポンデータの暗号を復号する暗号復号エンジン７４と、システムメモリともなる非セキュアメモリ７５とを備えている。暗号復号エンジン７４では、償還側非接触通信Ｉ／Ｆ７２で携帯電話装置４０から送信された暗号化クーポンデータを受信したとき、非セキュアメモリ７５に格納されている暗号化クーポンデータの暗号を、この暗号化クーポンデータと共に受信したクーポンＩＤデータ及び端末ＩＤデータとによって復号する。
【００５２】
更に、償還装置７０は、ＰＯＳ端末としての機能を実現するＰＯＳ機能部７６と、動作状況等を表示する表示部７７と、クーポン管理装置６０やクーポンＩＤ管理装置１０と通信を行う償還側通信Ｉ／Ｆ７８とを備える。
【００５３】
ＰＯＳ機能部７６は、例えば商品に付されたバーコード等を光学的に読み取るリーダ等を備えており、商品のバーコード等を読み取ったとき、その商品の商品名や値段を表示部７７に表示する。また、携帯電話装置４０から送信された暗号化クーポンデータの暗号を復号すると、復号したクーポンデータ、すなわちクーポンデータの内容である商品名や割引率等を表示部７７に表示する。
【００５４】
ところで、現在、商品の取引は、インターネット等のネットワークを用いて行われることも多い。したがって、携帯電話装置４０に格納されたクーポンＩＤデータや端末ＩＤデータを用いて商品の売買が行われることもある。そこで、更に、本発明のデータ処理システム１では、更に、電子商取引を実現する電子商取引装置８０を備えている。この電子商取引装置８０は、図８に示すように、インターネット等のネットワークに接続された携帯電話装置４０を含む多くの装置に対してで商品の情報提供を行うと共に、ユーザによって選択された商品の決済情報等を受信する電子商取引部８１と、携帯電話装置４０やクーポン管理装置６０と通信を行う通信Ｉ／Ｆ８２とを備えている。
【００５５】
クーポンＩＤデータを取得している携帯電話装置４０が電子商取引装置８０にアクセスし、商品をクーポンを用いて購入するとき、通信Ｉ／Ｆ８２は、携帯電話装置４０から注文データと共にクーポンＩＤデータと端末ＩＤデータとを受信し、更に、クーポンＩＤデータの照合を行うため、クーポンＩＤデータと端末ＩＤデータとをクーポン管理装置６０に送信する。そして、クーポン管理装置６０において照合がとれたとき、通信Ｉ／Ｆ８２は、クーポン管理装置６０から送信された平文のクーポンデータを受信し、電子商取引部８１では、クーポンを適用して決済を行う。
【００５６】
次に、図９を参照して、本発明が適用されたデータ処理システム１の処理手順について説明する。
【００５７】
先ず、広告主より宣伝広告の依頼を受けた広告代理店は、広告映像データを制作すると共に、この広告映像データで配布する割引といったクーポンの内容を決定し、クーポンデータを作成する。また、作成するクーポンデータには、個々に、クーポンＩＤデータを付与する。そして、クーポンＩＤ管理装置１０では、ステップＳ１において、クーポンＩＤデータとクーポンデータとを関連付けて、これを、記憶部１１に構築されたクーポンＩＤデータベースに登録する。
【００５８】
次に、広告代理店では、広告代理店で広告主の依頼に基づいて制作した広告映像データを制作すると、次に、制作した広告映像データの配信情報、すなわち何時何処で広告映像データを配信するかのスケジュールを作成し、作成した配信情報を、広告映像データに関連付けて広告映像データ生成装置２０に入力する。そして、ステップＳ２において、クーポンＩＤ管理装置１０の配信情報入力部１３には、広告映像データ生成装置２０よりクーポンＩＤデータに関連付けられた配信情報が入力され、クーポンＩＤデータベースには、クーポンＩＤデータに関連付けて配信情報が登録される。
【００５９】
実際の広告映像データの配信が開始される前、ステップＳ３において、クーポン管理装置６０には、クーポンＩＤ管理装置１０のクーポンＩＤデータベースから、クーポンＩＤデータとクーポンデータとが互いに関連付けられてネットワークや記録媒体によって供給され、記憶部６１のクーポンデータベースに登録される。
【００６０】
以上のように、ステップＳ１〜ステップＳ３までの処理がクーポンの配布開始前、すなわち広告映像データの配信が開始される前までの処理である。そして、広告映像データの配信が開始されると、ユーザは、広告映像データが再生されている表示装置３０の前に立ち止まり、広告映像データの再生されている画面より携帯電話装置４０を用いてクーポンＩＤデータがウォータマークで埋め込まれている画像を撮像部４１で撮像することになる。そして、ユーザは、クーポンを取得する場合、クーポン管理装置６０にアクセスして、クーポンＩＤデータと端末ＩＤデータと電話番号、氏名、年齢、性別、アンケート情報等の属性情報をクーポン管理装置６０に送信することになる。そこで、クーポン管理装置６０は、ステップＳ４において、ユーザの携帯電話装置４０より送信されたクーポンＩＤデータ、端末ＩＤデータ、属性情報等を受信すると、この受信したデータに加え、内蔵のタイマ等によって特定されるクーポン取得日時等を、記憶部６１に構築されたクーポンデータベースに登録する。なお、クーポンの取得場所は、クーポンＩＤデータより何処の表示装置３０より取得したかによって特定することができる。
【００６１】
そして、クーポン管理装置６０は、定期的に又は随時、クーポンデータベースの登録内容をクーポンＩＤ管理装置１０に送信し、ステップＳ５において、クーポンＩＤ管理装置１０は、クーポンデータベースの登録内容が償還ログ入力部１４より入力されると、記憶部１１に構築されたクーポンＩＤデータベースに登録する。
【００６２】
また、ユーザは、クーポンＩＤデータを取得した商品を購入するとき、携帯電話装置４０の端末側非接触通信Ｉ／Ｆ４７よりクーポンＩＤデータと端末ＩＤデータを少なくとも償還装置７０の償還側非接触通信Ｉ／Ｆ４７に送信する。また、電子商取引を行う場合にも、携帯電話装置４０は、端末側通信Ｉ／Ｆ４９より少なくともクーポンＩＤデータと端末ＩＤデータを電子商取引装置８０に送信する。そして、償還装置７０又は電子商取引装置８０は、携帯電話装置４０より受信したクーポンＩＤデータと端末ＩＤデータをクーポン管理装置６０に送信し、照合等の処理を行って償還処理を行う。クーポン管理装置６０又は電子商取引装置８０は、このとき取得したクーポンＩＤデータ及び端末ＩＤデータの受信日時や償還装置７０の設置場所のＩＤデータに基づいて、クーポンの使用日時及び使用場所を、償還ログとして使用できるようにクーポンデータベースに登録する。
【００６３】
クーポンＩＤ管理装置１０においても、ステップＳ８において、償還装置７０又はクーポン管理装置６０から送信されたクーポンの使用日時及び使用場所のデータが記憶部１１に構築されたクーポンＩＤデータベースに償還ログとして格納されることになる。そして、この償還ログは、発行したクーポンが何時何処で取得され使用されたかを知ることができ、広告効果を見る広告測定情報として広告主に提供することができる。なお、クーポン管理装置６０のクーポンデータベースに格納された償還ログ等を広告測定情報として広告主に提供しても良い。
【００６４】
次に、ユーザが携帯電話装置４０を用いて表示装置３０よりクーポンＩＤデータを取得するまでの一連の手順、すなわち図９中ステップＳ４の前に示した（ｉ）の手順を図１０を用いて説明する。
【００６５】
表示装置３０では、クーポンＩＤデータがウォータマークで埋め込まれた広告映像データが再生されている。この状態で、ユーザは、携帯電話装置４０の撮像部４１で表示装置３０に表示されている広告映像データの位置合わせのための枠３６内のウォータマークでクーポンＩＤデータが埋め込まれた領域を撮像する。すると、ウォータマーク抽出部４２は、撮像した画像データの位置合わせを、撮像した枠３６を目印に、大きさ、傾き、斜めから撮像されたときの歪みを補正して、画像処理装置２３で行われた広告映像データにクーポンＩＤデータを埋め込む符号化時のマクロブロックと撮像部４１で撮像を行った画像データのマクロブロックとの位置合わせを行ってから、符号化の際に得られる所謂ＤＣＴ係数の高域成分よりクーポンＩＤデータ９１のデータを抽出し、更に、誤り訂正処理を行って、クーポンＩＤデータ９１を抽出する。
【００６６】
また、広告の映像コンテンツを圧縮しないでディジタル信号として配信している場合には、上述した枠３６を用いて位置合わせの補正処理を行った後、画像信号の各サンプル値、すなわち各画素のデータの最下位ビット又は下位の数ビットを抽出し、誤り訂正処理を行って、クーポンＩＤデータ９１を抽出する。
【００６７】
更に、広告映像データがアナログである場合には、文字認識処理によって、オーバレイ又はスーパインポーズされているクーポンＩＤデータ９１を構成する数字及び記号のグラフィック画像を抽出し、抽出したグラフィック画像よりクーポンＩＤデータ９１を抽出する。
【００６８】
そして、携帯電話装置４０は、かくして得られたクーポンＩＤデータ９１を、端末ＩＤデータ９２が格納されているセキュアメモリ４８に格納する。
【００６９】
次に、ユーザが携帯電話装置４０を用いてクーポンＩＤデータに関連付いたクーポンデータを取得するまでの一連の手順、すなわち図９中ステップＳ４の後に示した（ｉｉ）の手順を図１１を用いて説明する。
【００７０】
先ず、携帯電話装置４０は、セキュアメモリ４８に格納されているクーポンＩＤデータと端末ＩＤデータとを読み出して端末側通信Ｉ／Ｆ４９よりクーポン管理装置６０の管理側通信Ｉ／Ｆ６２に送信する。また、このとき、携帯電話装置４０は、クーポン管理装置６０に対して属性情報も送信する。
【００７１】
すると、クーポン管理装置６０では、クーポンデータベースにアクセスし、受信したクーポンＩＤデータ９３に関連付けて端末ＩＤデータ９２をクーポンデータベースに登録すると共に、このクーポンＩＤデータに関連付いたクーポンデータ９３ａを読み出す。そして、クーポン管理装置６０では、暗号化エンジン６３において、クーポンＩＤデータ９１と端末ＩＤデータ９２とを用いてクーポンデータ９３ａを暗号化する。そして、クーポン管理装置６０は、管理側通信Ｉ／Ｆ６２より暗号化クーポンデータ９３ｂを、クーポンＩＤデータ９１と端末ＩＤデータ９２とを送信した携帯電話装置４０に対して送信する。すると、携帯電話装置４０では、端末側通信Ｉ／Ｆ４９で受信した暗号化クーポンデータ９３ｂを非セキュアメモリ４５に格納する。
【００７２】
かくして、ユーザは、携帯電話装置４０に暗号化クーポンデータ９３を取得することができ、次に、商品購入の際に取得したクーポンデータを使用できるようになる。ここで、携帯電話装置４０では、セキュアメモリ４８に対して比較的容量の大きい非セキュアメモリ４５にクーポンデータ９３を保存することになるが、このクーポンデータ９３は、暗号化されていることから、不正利用されることを防止することができる。
【００７３】
次に、クーポンデータ９３を取得したユーザがクーポンを使用する償還例１を図１２を参照して説明する。
【００７４】
この償還例１では、図１２に示すように、携帯電話装置４０の非セキュアメモリ４５に格納されている暗号化クーポンデータ９３ｂ及びセキュアメモリ４８に格納されているクーポンＩＤデータ９１及び端末ＩＤデータ９２を償還装置７０に送信し、償還装置７０において、暗号化クーポンデータ９３ｂを平文のクーポンデータ９３ａに復号し、クーポンデータ９３ａを償還できるようにすることを特徴とする。
【００７５】
すなわち、ユーザが店舗を訪れ、クーポンＩＤデータ９１を取得している所望の商品を購入するとき、ユーザは、先ず、償還装置７０の償還側非接触通信Ｉ／Ｆ７２に、携帯電話装置４０の端末側非接触通信Ｉ／Ｆ４７をかざす。これによって、償還装置７０は、携帯電話装置４０の非セキュアメモリ４５から暗号化クーポンデータ９３ｂを読み出し、非セキュアメモリ７５に格納する。これと共に、償還装置７０は、携帯電話装置４０のセキュアメモリ４８よりクーポンＩＤデータ９１及び端末ＩＤデータ９２を読み出す。そして、償還装置７０は、暗号復号エンジン７４において、クーポンＩＤデータ９１及び端末ＩＤデータ９２を用いて、非セキュアメモリ７５の暗号化クーポンデータ９３ｂの暗号を復号し、平文にされたクーポンデータ９３ａを表示部７７に表示する。これにより、店員が、クーポンデータ９３の内容を確認することができ、クーポンデータ９３の内容である割引等を適用してＰＯＳ機能部７６で決済を行う。
【００７６】
なお、この例において、償還装置７０は、償還ログを、クーポンＩＤ管理装置１０やクーポン管理装置６０に送信することになる。
【００７７】
更に、クーポンデータ９３を取得したユーザがクーポンを使用する償還例２を図１３を参照して説明する。
【００７８】
この償還例２では、図１３に示すように、携帯電話装置４０が非セキュアメモリ４５に格納されている暗号化クーポンデータ９３ｂを、セキュアメモリ４８に格納されているクーポンＩＤデータ９１及び端末ＩＤデータ９２を用いて、平文のクーポンデータ９３ａに復号し、クーポンデータを償還できるようにすることを特徴とする。
【００７９】
すなわち、ユーザが店舗を訪れ、クーポンＩＤデータ９１を取得している所望の商品を購入するとき、携帯電話装置４０は、セキュアメモリ４８よりクーポンＩＤデータ９１及び端末ＩＤデータ９２を読み出し、暗号復号エンジン４４で、非セキュアメモリ４５に格納されている暗号化クーポンデータ９３ｂの暗号を復号し、平文にされたクーポンデータ９３ａを表示部５０に表示する。これにより、店員は、ユーザが所持する携帯電話装置４０の表示部５０に表示されたクーポンデータを目視することによって内容を確認することができ、クーポンデータ９３ａの内容である割引等を適用してＰＯＳ機能部７６で決済を行うことができる。
【００８０】
なお、この例において、償還装置７０は、償還ログを、クーポンＩＤ管理装置１０やクーポン管理装置６０に送信することになる。
【００８１】
次の図１４に示す償還例３では、クーポンＩＤデータを表示装置３０より取得した後、暗号化クーポンデータ９３ｂを取得するためクーポン管理装置６０に直接アクセスするのではなく、償還時に、償還装置７０を介してクーポン管理装置６０にアクセスすることを特徴とする。
【００８２】
すなわち、ユーザが店舗を訪れ、クーポンＩＤデータ９１を取得している所望の商品を購入するとき、ユーザは、償還装置７０の償還側非接触通信Ｉ／Ｆ７２に、携帯電話装置４０の端末側非接触通信Ｉ／Ｆ４７をかざす。これによって、償還装置７０は、携帯電話装置４０のセキュアメモリ４８よりクーポンＩＤデータ９１及び端末ＩＤデータ９２を読み出す。そして、償還装置７０は、償還側通信Ｉ／Ｆ７８より携帯電話装置４０より取得したクーポンＩＤデータ９１及び端末ＩＤデータ９２をクーポン管理装置６０に転送する。
【００８３】
ここで、クーポン管理装置６０は、転送されたクーポンＩＤデータ９１及び端末ＩＤデータ９２を管理側通信Ｉ／Ｆ６２で受信すると、携帯電話装置４０から取得したクーポンＩＤデータ９１及び端末ＩＤデータ９２の内、クーポンＩＤデータ９１が記憶部６１に構築されたクーポンデータベースに登録してあるかどうかを照合部６４で照合し、配布しているクーポンのものであるかの確認を行い、照合がとれたとき、クーポンデータベースに端末ＩＤデータ９２を登録する。この後、クーポン管理装置６０は、クーポンＩＤデータに関連付いている平文のクーポンデータ９３ａを管理側通信Ｉ／Ｆ６２より償還装置７０に送信し、償還装置７０は、償還側通信Ｉ／Ｆ７８で受信したクーポンデータ９３ａを表示部７７に表示する。これにより、店員が、クーポンデータ９３の内容を確認することができ、クーポンデータ９３ａの内容である割引等を適用してＰＯＳ機能部７６で決済を行う。
【００８４】
これと同時に、クーポン管理装置６０は、携帯電話装置４０から送信されたクーポンＩＤデータ９１に関連付けられたクーポンデータを使用済みにする償還データ９４を生成し、この償還データ９４を償還装置７０を介して携帯電話装置４０に送信する。すなわち、償還装置７０は、償還側通信Ｉ／Ｆ７８でクーポン管理装置６０の管理側通信Ｉ／Ｆ６２から送信された償還データ９４を受信すると、この受信した償還データ９４を償還側非接触通信Ｉ／Ｆ７２より携帯電話装置４０の端末側非接触通信Ｉ／Ｆ４７に送信する。そして、携帯電話装置４０では、クーポン管理装置６０から償還装置７０を介して送信された償還データをセキュアメモリ４８に格納し、クーポンＩＤデータ９１を無効にし、不心得者によって重複利用されないようにする。
【００８５】
この償還例３の場合、クーポンデータを携帯電話装置４０がクーポン管理装置６０にアクセスして取得することがないので、ユーザにとって携帯電話装置４０の通信費を節約することができる。そして、償還装置７０は、償還ログを、クーポンＩＤ管理装置１０やクーポン管理装置６０に送信することになる。
【００８６】
次の図１５に示す償還例４は、償還例３と比較して、クーポンデータをクーポン管理装置６０から償還装置７０に送信する際に、暗号化クーポンデータ９３ｂを送信する点で相違し、クーポンデータを暗号化してクーポン管理装置６０から償還装置７０に送信することとで、この間の安全性を高めることを特徴とする。
【００８７】
すなわち、ユーザが店舗を訪れ、クーポンＩＤデータ９１を取得している所望の商品を購入するとき、ユーザは、償還装置７０の償還側非接触通信Ｉ／Ｆ７２に、携帯電話装置４０の端末側非接触通信Ｉ／Ｆ４７をかざす。これによって、償還装置７０は、携帯電話装置４０のセキュアメモリ４８よりクーポンＩＤデータ９１及び端末ＩＤデータ９２を読み出す。そして、償還装置７０は、償還側通信Ｉ／Ｆ７８より携帯電話装置４０より取得したクーポンＩＤデータ９１及び端末ＩＤデータ９２をクーポン管理装置６０に転送する。
【００８８】
ここで、クーポン管理装置６０は、転送されたクーポンＩＤデータ９１及び端末ＩＤデータ９２を管理側通信Ｉ／Ｆ６２で受信すると、携帯電話装置４０から取得したクーポンＩＤデータ９１及び端末ＩＤデータ９２の内、クーポンＩＤデータ９１が記憶部６１に構築されたクーポンデータベースに登録してあるかどうかを照合部６４で照合し、配布しているクーポンのものであるかの確認を行い、照合がとれたとき、クーポンデータベースに端末ＩＤデータ９２を登録する。この後、クーポン管理装置６０は、クーポンＩＤデータに関連付いている平文のクーポンデータ９３ａを暗号化エンジン６３でクーポンＩＤデータ９１及び端末ＩＤデータ９２を用いて暗号化し、暗号化クーポンデータ９３ｂを管理側通信Ｉ／Ｆ６２より償還装置７０に送信する。償還装置７０は、償還側通信Ｉ／Ｆ７８で暗号化クーポンデータ９３ｂを受信すると、先にクーポン管理装置６０に転送したクーポンＩＤデータ９１及び端末ＩＤデータ９２を用いて、暗号復号エンジン７４で暗号化クーポンデータ９３ｂを復号し、平文化されたクーポンデータ９３ａを表示部７７に表示する。これにより、店員が、クーポンデータ９３ａの内容を確認することができ、クーポンデータ９３ａの内容である割引等を適用してＰＯＳ機能部７６で決済を行う。
【００８９】
これと同時に、クーポン管理装置６０は、携帯電話装置４０から送信されたクーポンＩＤデータ９１に関連付けられたクーポンデータを使用済みにする償還データを生成し、この償還データ９４を償還装置７０を介して携帯電話装置４０に送信する。すなわち、償還装置７０は、償還側通信Ｉ／Ｆ７８でクーポン管理装置６０の管理側通信Ｉ／Ｆ６２から送信された償還データ９４を受信すると、この受信した償還データ９４を償還側非接触通信Ｉ／Ｆ７２より携帯電話装置４０の端末側非接触通信Ｉ／Ｆ４７に送信する。そして、携帯電話装置４０では、クーポン管理装置６０から償還装置７０を介して送信された償還データ９４をセキュアメモリ４８に格納し、クーポンＩＤデータ９１を無効にし、不心得者によって重複利用されないようにする。
【００９０】
この償還例４の場合、クーポンデータ９３を携帯電話装置４０がクーポン管理装置６０にアクセスして取得することがないので、ユーザにとって携帯電話装置４０の通信費を節約することができる。また、クーポン管理装置６０と償還装置７０との間のクーポンデータのやり取りを安全に行うことができる。そして、償還装置７０は、償還ログを、クーポンＩＤ管理装置１０やクーポン管理装置６０に送信することになる。
【００９１】
次の図１６に示す償還例５は、携帯電話装置４０のセキュアメモリ４８に格納されているクーポンＩＤデータ９１及び端末ＩＤデータ９２を電子商取引装置８０を介してクーポン管理装置６０に送信して、クーポン管理装置６０から電子商取引装置８０にクーポンデータ９３ａが送信されることによってクーポンデータが償還されることを特徴とする。
【００９２】
すなわち、ユーザが携帯電話装置４０で電子商取引装置８０にアクセスしクーポンＩＤデータ９１を取得している所望の商品を購入するとき、携帯電話装置４０は、注文データと共に、セキュアメモリ４８よりクーポンＩＤデータ９１及び端末ＩＤデータ９２を読み出して、読み出したクーポンＩＤデータ９１及び端末ＩＤデータ９２を端末側通信Ｉ／Ｆ４９より電子商取引装置８０に送信し、電子商取引装置８０は、通信Ｉ／Ｆ８２で、クーポンＩＤデータ９１及び端末ＩＤデータ９２を受信すると、クーポンデータ９３ａの取得のため、クーポン管理装置６０に転送する。
【００９３】
クーポン管理装置６０では、電子商取引装置８０からのクーポンＩＤデータ９１及び端末ＩＤデータ９２を管理側通信Ｉ／Ｆ６２で受信すると、携帯電話装置４０から取得したクーポンＩＤデータ９１及び端末ＩＤデータ９２の内、クーポンＩＤデータ９１が記憶部６１に構築されたクーポンデータベースに登録してあるかどうかを照合部６４で照合し、配布しているクーポンのものであるかの確認を行い、照合がとれたとき、クーポンデータベースに端末ＩＤデータ９２を登録する。この後、クーポン管理装置６０は、クーポンＩＤデータに関連付いている平文のクーポンデータ９３ａを管理側通信Ｉ／Ｆ６２より電子商取引装置８０に送信し、電子商取引装置８０は、クーポンデータ９３ａの内容を確認することができ、クーポンデータ９３ａの内容である割引等を適用して決済を行う。そして、電子商取引装置８０は、償還ログを、クーポンＩＤ管理装置１０やクーポン管理装置６０に送信することになる。
【００９４】
なお、この償還例５において、クーポン管理装置６０でクーポンデータを暗号化エンジン６３で暗号化したものを電子商取引装置８０に送信し、電子商取引装置８０に設けた暗号復号エンジンで暗号を復号して、クーポンデータを償還するようにしても良い。
【００９５】
以上のようなデータ処理システム１では、表示装置３０でクーポンＩＤデータがウォータマークで埋め込まれた広告映像データを再生することによってクーポンＩＤデータを配布することができることから、特に、表示装置３０には、従来と同じ装置を用いることができる。また、広告映像データにウォータマークで埋め込まれたクーポンＩＤデータを取得した携帯電話装置４０は、セキュアメモリ４８にクーポンＩＤデータを格納することで、不正なコピー、配布の防止を実現することができる。更に、このデータ処理システム１では、クーポンＩＤデータと端末ＩＤデータとを関連付けることで、広告映像データを視聴したユーザの携帯電話装置４０でしか利用できない電子クーポンの配布・償還を実現することができる。更に、クーポンＩＤ管理装置１０やクーポン管理装置６０では、クーポンＩＤデータに関連付けて償還ログを管理することから、広告視聴者の属性を特定し、信頼性の高い宣伝広告の効果測定方法を実現することができる。
【００９６】
なお、以上説明した端末ＩＤデータは、携帯電話装置４０に固有に割り振られたＩＤデータでも良いが、ＩＣカードシステムで用いられているＩＣカードのＩＤデータであっても良い。
【００９７】
また、以上の例では、圧縮、非圧縮画像に対するウォータマークの技術例を説明したが、他のウォータマーク埋め込み処理方法・プロセス・技術を採用してもよい。
【００９８】
また、以上の例では、クーポンＩＤデータが広告映像データの映像にウォータマークで埋め込まれている例を説明したが、このクーポンＩＤデータは、表示装置３０で広告画像データに同期して再生され、スピーカより放音される音声データに埋め込むようにしても良い。この場合、音声信号の周波数軸上や時間軸上のマスキング効果により、音声信号に影響を与えない、すなわち人間の聴覚で感知できないように重畳することになる。そして、携帯電話装置４０では、内蔵のマイク等の電気音響変換器で表示装置３０で再生される広告映像データの音声信号を集音して、ウォータマークが埋め込まれた周波数軸上や時間軸上の所定域より該ウォータマークを抽出するようにすれば良い。
【００９９】
また、以上の例では、広告映像データを表示装置３０で再生する例を説明したが、ウォータマーク付の広告媒体としては、紙で形成されたポスターや電子ポスターであっても良い。
【図面の簡単な説明】
【０１００】
【図１】本発明を適用したデータ処理システムの構成を示す図である。
【図２】本発明が適用されたデータ処理システムに用いられるクーポンＩＤ管理装置のブロック図である。
【図３】本発明が適用されたデータ処理システムに用いられる広告映像データ生成装置のブロック図である。
【図４】本発明が適用されたデータ処理システムに用いられる携帯電話装置のブロック図である。
【図５】携帯電話装置で表示装置に表示された広告映像データを撮像してクーポンＩＤデータを取得するときの状態を示す図である。
【図６】本発明が適用されたデータ処理システムに用いられるクーポン管理装置のブロック図である。
【図７】本発明が適用されたデータ処理システムに用いられる償還装置のブロック図である。
【図８】本発明が適用されたデータ処理システムに用いられる電子商取引装置のブロック図である。
【図９】本発明が適用されたデータ処理システムの処理手順を示すフローチャートである。
【図１０】本発明が適用されたデータ処理システムにおいて、携帯電話装置で表示装置に表示された広告映像データの中からクーポンＩＤデータを取得する際の手順を示す図である。
【図１１】本発明が適用されたデータ処理システムにおいて、携帯電話装置で暗号化クーポンデータを取得する際の手順を示す図である。
【図１２】本発明が適用されたデータ処理システムにおいて、クーポンデータ９３を取得したユーザがクーポンを使用する償還例１の手順を示す図である。
【図１３】本発明が適用されたデータ処理システムにおいて、クーポンデータ９３を取得したユーザがクーポンを使用する償還例２の手順を示す図である。
【図１４】本発明が適用されたデータ処理システムにおいて、クーポンデータ９３を取得したユーザがクーポンを使用する償還例３の手順を示す図である。
【図１５】本発明が適用されたデータ処理システムにおいて、クーポンデータ９３を取得したユーザがクーポンを使用する償還例４の手順を示す図である。
【図１６】本発明が適用されたデータ処理システムにおいて、クーポンデータ９３を取得したユーザがクーポンを使用する償還例５の手順を示す図である。
【符号の説明】
【０１０１】
１ データ処理システム、１０ クーポンＩＤ管理装置、１１ 記憶部、１２ クーポンＩＤ発行部、１３ 配信情報入力部、１４ 償還ログ入力部、２０ 広告映像データ生成装置、２１ 広告映像データ入力装置、２２ クーポンＩＤ入力装置、２３ 画像処理装置、２４ 配信装置、３０ 表示装置、３６ 枠、４０ 携帯電話装置、４１ 撮像部、４２ ウォータマーク抽出部、４３ システムＯＳ部、４４ 暗号復号エンジン、４５ 非セキュアメモリ、４６ 端末側非接触通信ＯＳ部、４７ 端末側非接触通信Ｉ／Ｆ、４８ セキュアメモリ、４９ 端末側通信Ｉ／Ｆ、５０ 表示部、５１ 操作部、６０ クーポン管理装置、６１ 記憶部、６２ 管理側通信Ｉ／Ｆ、６３ 暗号化エンジン、６４ 照合部、７０ 償還装置、７１ 非接触通信ＯＳ部、７２ 償還側非接触通信Ｉ／Ｆ、７３ システムＯＳ部、７４ 暗号復号エンジン、７５ 非セキュアメモリ、７６ ＰＯＳ機能部、７７ 表示部、８０ 電子商取引装置、８１ 電子商取引部、９１ クーポンＩＤデータ、９２ 端末ＩＤデータ、９３ａ 平文のクーポンデータ、９３ｂ 暗号化クーポンデータ、９４ 償還データ
【図１】
2008225903.tif 000003
【図２】
2008225903.tif 000004
【図３】
2008225903.tif 000005
【図４】
2008225903.tif 000006
【図５】
2008225903.tif 000007
【図６】
2008225903.tif 000008
【図７】
2008225903.tif 000009
【図８】
2008225903.tif 000010
【図９】
2008225903.tif 000011
【図１０】
2008225903.tif 000012
【図１１】
2008225903.tif 000013
【図１２】
2008225903.tif 000014
【図１３】
2008225903.tif 000015
【図１４】
2008225903.tif 000016
【図１５】
2008225903.tif 000017
【図１６】
2008225903.tif 000018